(57)【要約】【課題】ユーザの要望に応えて、知りたい情報を都合のよい時間で表示できるようにする。【解決手段】サーバ３の広告データ発信部１０は、ユーザ端末装置２に広告情報を含むウェブページを送信する。表示装置１にアクセス可能な位置にあるユーザ端末装置２がオークションに参加できる。ユーザは、表示したい掲示情報、時間帯、購入金額を決める。ユーザ端末装置２は、掲示情報と購入条件をサーバ３に提示する。サーバ３のデータ収集部１２は、複数のユーザ端末装置２から送信された時間帯と購入条件を収集する。金額判定部１３は、時間帯毎に一番高い金額を選ぶ。掲示情報選択部１４は、一番高い金額を提示したユーザの掲示情報を表示する掲示情報に決める。表示データ発信部１５は、時間帯毎の掲示情報を表示装置１に送信する。表示装置１は、掲示情報を画面に表示し、時間帯に応じて掲示情報を変更する。【選択図】図３
2009157682.tif 000002
【特許請求の範囲】
【請求項１】
掲示情報を表示する表示装置と、表示装置に掲示情報を出力するサーバと、サーバと通信可能な端末装置とを備え、サーバは、端末装置に対して、広告情報の中から選ばれた掲示情報を表示するためのオークションを行い、端末装置は、掲示したい掲示情報および掲示するための購入条件をサーバに提示し、サーバは、一番よい購入条件を提示した端末装置の掲示情報を表示させることを特徴とする情報掲示システム。
【請求項２】
表示装置にアクセス可能な位置にある端末装置がオークションに参加することを特徴とする請求項１記載の情報掲示システム。
【請求項３】
サーバは、表示装置にアクセス可能な位置にある端末装置を特定して、特定の端末装置に広告情報を送信することを特徴とする請求項２記載の情報掲示システム。
【請求項４】
サーバは、端末装置に広告情報を送信し、端末装置は、表示装置にアクセス可能な位置にあるかを判断し、アクセス可能な位置にあるとき、オークションに参加し、アクセス可能な位置にないとき、オークションに参加しないことを特徴とする請求項２記載の情報掲示システム。
【請求項５】
端末装置は、広告情報を提供する情報提供端末装置と、広告情報を提供されるユーザ端末装置とを含み、サーバは、オークションに参加可能なユーザ端末装置に広告情報を送信し、ユーザ端末装置は、選んだ掲示情報を情報提供端末装置に通知し、情報提供端末装置は、購入条件を決め、ユーザ端末装置からの掲示情報とともに購入条件をサーバに提示することを特徴とする請求項２記載の情報掲示システム。
【請求項６】
サーバは、ユーザ端末装置から受信した掲示情報を情報提供端末装置に転送することを特徴とする請求項５記載の情報掲示システム。
【請求項７】
端末装置は、希望する時間帯を含めた購入条件を提示し、サーバは、端末装置からの購入条件に基づいて、時間帯毎の掲示情報を決め、表示装置は、時間帯に応じて表示する掲示情報を変更することを特徴とする請求項２または５記載の情報掲示システム。
【請求項８】
サーバは、一番の購入条件が複数ある場合、最先に受けた掲示情報を表示させることを特徴とする請求項２または５記載の情報掲示システム。
【請求項９】
サーバは、最先に受けた掲示情報をメイン表示とし、次に受けた掲示情報をサブ表示とすることを特徴とする請求項８記載の情報掲示システム。
【請求項１０】
サーバは、一番の購入条件を提示した複数の端末装置に、同じ購入条件を提示した端末装置があることを通知することを特徴とする請求項２または５記載の情報掲示システム。
【請求項１１】
サーバは、時間帯毎にオークションの締切時間を設定することを特徴とする請求項１０記載の情報掲示システム。
【請求項１２】
サーバは、落札した端末装置に通知することを特徴とする請求項５記載の情報掲示システム。
【請求項１３】
サーバは、端末装置に落札の通知後、入金がないとき、掲示情報の表示を中止することを特徴とする請求項１２記載の情報掲示システム。
【請求項１４】
サーバは、落札した端末装置に対して、入金催促の通知を行うことを特徴とする請求項１２記載の情報掲示システム。
【請求項１５】
サーバは、オークションに際して、端末装置から受け取った情報を蓄積することを特徴とする請求項２記載の情報掲示システム。
【請求項１６】
表示装置は、購入された時間に応じて、表示時間に関する時間情報を表示することを特徴とする請求項２記載の情報掲示システム。
【発明の詳細な説明】
【技術分野】
【０００１】
本発明は、屋外に設置された表示装置にユーザの要望に応じた情報を表示する情報掲示システムに関する。
【背景技術】
【０００２】
屋外に掲示されるポスターなどの紙媒体の広告は、表示内容を逐次変更することができない。そこで、大型の表示装置を用いて、ユーザの要望に合わせて掲示情報を変更できる情報掲示システムが実現されている。
【０００３】
表示装置に表示される掲示情報は、情報提供者の独自の判断によって、表示の日時および内容が決められたものである。重要な情報は、表示装置の設置場所に応じて変わるが、ユーザの嗜好に応じて表示を変更することはできない。これでは、ユーザの要望が反映されているとは言えない。
【０００４】
また、表示装置に掲示情報を表示するには、対価が必要とされる。表示価格は、システムを運営するサービス会社によって決められる。表示内容に対して、適正な表示価格ではない場合があり得る。
【０００５】
特許文献１には、表示装置に広告などの情報を表示したいユーザは、クレジットカードを用いて表示時間を購入することが記載されている。ユーザは、所望する情報の表示スペースを適正な価格で購入できる。
【特許文献１】特表２００２−５４３５０１号公報
【発明の開示】
【発明が解決しようとする課題】
【０００６】
しかしながら、ユーザは、必要な情報を所望のタイミングで見ることができない。すなわち、ユーザが知りたい情報をリクエストしても、表示装置は、必ずしも希望する時間に表示するとは限らない。
【０００７】
そこで、本発明は、上記に鑑み、ユーザの要望に応えて、知りたい情報を都合のよい時間で表示できる情報掲示システムの提供を目的とする。
【課題を解決するための手段】
【０００８】
本発明は、掲示情報を表示する表示装置と、表示装置に掲示情報を出力するサーバと、サーバと通信可能な端末装置とを備えたものであり、サーバは、端末装置に対して、広告情報の中から選ばれた掲示情報を表示するためのオークションを行い、端末装置は、掲示したい掲示情報および掲示するための購入条件をサーバに提示し、サーバは、一番よい購入条件を提示した端末装置の掲示情報を表示させる。
【０００９】
端末装置を所持するユーザは、オークションに参加することによって、知りたい掲示情報を表示させることができる。ここで、オークションに参加できる端末装置は、表示装置にアクセス可能な位置にあるものである。アクセス可能な位置は、距離的あるいは時間的に予め定められた範囲内の位置である。
【００１０】
サーバは、表示装置にアクセス可能な位置にある端末装置を特定して、特定の端末装置に広告情報を送信する。これによって、サーバは、ユーザにオークションの参加を案内する。ユーザ端末装置が応答することによって、オークションの参加となる。したがって、ユーザは自動的にオークションに参加できる。
【００１１】
また、サーバは、端末装置に広告情報を送信し、端末装置は、表示装置にアクセス可能な位置にあるかを判断する。端末装置がアクセス可能な位置にあるとき、オークションに参加し、端末装置がアクセス可能な位置にないとき、オークションに参加しない。この場合、ユーザの意思によって、オークションの参加を決めることができる。すなわち、ユーザが、アクセス可能でない位置からアクセス可能な位置に移動することにより、オークションに参加できる。
【００１２】
端末装置は、広告情報を提供する情報提供端末装置と、広告情報を提供されるユーザ端末装置とを含み、サーバは、オークションに参加可能なユーザ端末装置に広告情報を送信し、ユーザ端末装置は、選んだ掲示情報を情報提供端末装置に通知し、情報提供端末装置は、購入条件を決め、ユーザ端末装置からの掲示情報とともに購入条件をサーバに提示する。
【００１３】
ここでは、情報提供者有する情報提供端末装置が直接オークションに参加する。ユーザ端末装置を所持するユーザは、表示したい掲示情報を決めることにより、間接的にオークションに参加できる。ユーザ端末装置が、決められた掲示情報をサーバに送信すると、サーバは、ユーザ端末装置から受信した掲示情報を情報提供端末装置に転送する。
【００１４】
端末装置は、希望する時間帯を含めた購入条件を提示し、サーバは、端末装置からの購入条件に基づいて、時間帯毎の掲示情報を決め、表示装置は、時間帯に応じて表示する掲示情報を変更する。これにより、掲示情報を表示したい時間を指定することができ、ユーザは都合のよい時間に情報を知ることができる。
【００１５】
サーバは、一番の購入条件が複数ある場合、最先に受けた掲示情報を表示させる。あるいは、一番の購入条件が複数ある場合、サーバは、最先に受けた掲示情報をメイン表示とし、次に受けた掲示情報をサブ表示とする。これによって、自動的に表示する掲示情報を決めることができる。
【００１６】
サーバは、一番の購入条件を提示した複数の端末装置に、同じ購入条件を提示した端末装置があることを通知する。サーバは、時間帯毎にオークションの締切時間を設定する。通知を受けた端末装置は、締切時間内に購入条件を再提示することが可能となる。最終的に、一番の購入条件が決まる。
【００１７】
サーバは、落札した端末装置に通知する。この通知によって端末装置を所有するユーザあるいは情報提供者は、オークションで落札したことを知る。サーバは、端末装置に落札の通知後、入金がないとき、掲示情報の表示を中止する。また、入金がないとき、サーバは、落札した端末装置に対して、入金催促の通知を行う。催促しても入金がなければ、掲示情報の表示を中止する。
【００１８】
サーバは、オークションに際して、端末装置から受け取った情報を蓄積する。ユーザ端末装置から受け取った掲示情報および購入条件、情報提供端末装置から受け取った掲示情報および購入条件といった情報がそれぞれユーザあるいは情報提供者に関連付けて保存され、データベースを作成することができる。
【００１９】
表示装置は、購入された時間に応じて、表示時間に関する時間情報を表示する。掲示情報を見ているユーザは、いつまで表示されるのかを知ることができる。
【００２０】
なお、上記の端末装置は、ユーザ端末装置あるいは情報提供端末装置である。
【発明の効果】
【００２１】
本発明によると、決められたときにユーザの希望する掲示情報を表示させることができるので、ユーザは都合のよいときに知りたい情報を得ることができる。
【発明を実施するための最良の形態】
【００２２】
本実施形態の情報掲示システムを図１、２に示す。情報掲示システムは、表示装置１、ユーザ端末装置２、サーバ３、情報提供端末装置４によって構成され、これらがネットワーク５を通じて通信可能に接続される。ネットワーク５は、ＬＡＮ、ＷＡＮあるいはインターネット等である。
【００２３】
表示装置１は、電子掲示板として駅前等の公衆の目に触れる場所に設置され、電子掲示板を運営するサービス会社によって管理される。表示装置１は、無線ＬＡＮ、特定小電力無線、ブルートゥース（登録商標）等の近距離の無線通信機能を有している。
【００２４】
ユーザ端末装置２は、表示部、操作部を備え、通信機能を有する端末装置であり、例えば携帯電話、ＰＨＳ、携帯情報端末（ＰＤＡ）ノートパソコン等である。複数のユーザ端末装置２は、このサービス会社に登録された会員である複数のユーザによってそれぞれ携帯される。また、ユーザ端末装置２は、無線ＬＡＮ、特定小電力無線、ブルートゥース（登録商標）等の近距離の無線通信機能を有し、表示装置１と無線通信可能とされる。
【００２５】
サーバ３は、一般的なコンピュータであり、サービス会社に設置される。サーバ３は、広告、ニュース等の掲示情報を作成して、掲示情報を表示装置１に送信する。表示装置１は、サーバ３により制御され、掲示情報を表示する。
【００２６】
情報提供端末装置４は、会社、商店等の情報提供者が所有するコンピュータであり、情報提供者とサービス会社との契約に基づいて、サーバ３に登録される。複数の情報提供端末装置４は、インターネットを通じてサーバ３にそれぞれアクセスして、掲示情報の元となる広告情報をサーバ３にアップロードする。提供する情報としては、例えばスーパーマーケットの特売品、一面の新聞記事、催しの案内などであり、複数の紙メディア広告に相当する情報が集積されたものである。
【００２７】
サーバ３は、情報提供者から提供された複数の広告情報をユーザ端末装置２に提示し、ユーザ端末装置２によって選択された情報に基づいて掲示情報を作成する。そして、サーバ３は、掲示情報の表示形態をそれぞれ決め、掲示情報を表示装置１に送信する。表示装置１は、掲示情報を表示する。
【００２８】
本システムでは、表示する掲示情報を決めるためのオークションが行われる。オークションによって、ユーザの要望した掲示情報を表示装置１に表示する権利を得ることができる。このオークションでは、掲示情報を表示するためのエリアと表示時間とを購入するための入札が行われる。
【００２９】
このオークションを実行するために、図３に示すように、サーバ３の制御装置６は、広告情報収集部１０、広告データ発信部１１、データ収集部１２、金額判定部１３、掲示情報選択部１４、表示データ発信部１５、時計部１６を備えている。
【００３０】
広告情報収集部１０は、情報提供端末装置４と通信を行い、情報提供端末装置４から送信された広告情報を受け取る。サーバ３は、ハードディスク装置等の記憶部１７を有し、記憶部１７は、情報提供端末装置４から提供された広告情報を情報提供者毎に記憶する。広告データ発信部１１は、記憶部１７から広告情報を読み出して情報提供者毎に整理し、広告情報をまとめて定期的にユーザ端末装置２に送信する。
【００３１】
広告情報はウェブページとしてユーザに提供される。制御装置６は、複数の広告情報に基づいてウェブページを作成する。すなわち、広告情報に応じたコンテンツを作成し、複数のコンテンツを編集することによってウェブページが作成される。ウェブページには、複数のコンテンツが掲載され、見たい情報を選択するための掲示情報要求欄が形成される。掲示情報要求欄には、購入条件が入力される。購入条件は、表示を希望する時間帯と表示してもらうための対価としての購入金額である。時間帯は、例えば１時間単位あるいは３０分単位といったように定められる。なお、情報提供端末装置４が新しい広告情報を提供すると、制御装置６は、この広告情報に基づいてウェブページを更新する。
【００３２】
広告データ発信部１１は、ウェブページを利用して、ユーザにオークションの参加を促す。すなわち、広告データ発信部１１は、ユーザ端末装置２にメッセージを送信して、このメッセージにしたがってアクセスしてきたユーザ端末装置２を認証してからウェブページを送信する。ユーザ端末装置２の表示部には、ウェブページに掲載されたコンテンツが表示される。
【００３３】
データ収集部１２は、ウェブページを通じて複数のユーザ端末装置２から送信されてきた要求データを収集する。すなわち、ユーザ端末装置２は、提示されたコンテンツの中から、ユーザが見たい掲示情報に対応するコンテンツを選択するとともに、時間帯および購入金額といった購入条件を入力して、要求データをサーバ３に送信する。データ収集部１２は、ユーザ端末装置２からの要求データを受信して、メモリに記憶する。制御装置６は、入力済みの購入条件を受け取ることにより、ユーザ端末装置２を所有するユーザがオークションに参加する意思があると判断する。
【００３４】
データ収集部１２は、ユーザが要求した掲示情報を希望する時間帯毎に分け、さらに購入金額順に並べて、メモリに記憶する。金額判定部１３は、各時間帯において、一番高い購入金額を提示したユーザ端末装置２を判定する。掲示情報選択部１４は、時間帯毎に、一番高い購入金額を提示したユーザ端末装置２における掲示情報を選択する。これによって、各時間帯において、表示する掲示情報が決定される。
【００３５】
表示データ発信部１５は、決定された掲示情報を時間帯に応じて順次表示装置１に送信する。表示装置１は、受信した掲示情報を表示する。そして、時間帯毎に、掲示情報を変更して表示する。
【００３６】
時計部１６は、ユーザ端末装置２からの要求データの受信日時を検出するとともに、オークションの締切時間を計時する。制御装置６は、時間帯毎にユーザ端末装置２からの送信を受け付ける締切時間を決める。締切時間が過ぎると、制御装置６は、ユーザのオークションの参加を拒否する。すなわち、オークションは指定された時間帯毎に行われ、対象とする時間帯の所定時間前といったように、時間帯に応じて締切時間が設定される。なお、オークションは、日単位あるいは週単位で行ってもよい。この場合、締切時間は、対象とする日の数時間前に設定される。
【００３７】
また、制御装置６は、ユーザ端末装置２から受信した要求データを蓄積して、掲示に関するデータベースを作成する。すなわち、制御装置６は、要求データから掲示情報、時間帯、購入金額、ユーザ名といった情報をまとめて、データテーブルを作成する。そして、ユーザ毎にデータテーブルを作成し、各データテーブルを記憶部１７に保存する。データテーブルを解析することにより、ユーザはどのような広告を嗜好しているのかを判断できる。情報提供者は、このデータテーブルを利用することにより、今後の広告情報の作成に役立てることができる。
【００３８】
ここで、オークションを行うとき、サーバ３の制御装置６は、表示装置１にアクセス可能な位置にあるユーザ端末装置２を参加の対象とする。対象となるユーザ端末装置２は、表示装置１との距離に応じて決められる。ユーザが表示装置１から一定距離だけ離れた位置にいても、車や電車等を利用すれば、ユーザは表示装置１を見える場所まで移動できる。すなわち、ユーザ端末装置２は表示装置１にアクセス可能な位置にあるということになる。この一定距離は、例えば１ｋｍとされる。
【００３９】
制御装置６は、各ユーザ端末装置２の位置情報を取得し、表示装置１とユーザ端末装置２との距離を検出する。そして、制御装置６は、一定距離内にあるユーザ端末装置２を検索して、対象となるユーザ端末装置２を特定し、広告情報を送信する。一定距離より遠い位置にあるユーザ端末装置２に対しては、広告情報を送信しない。
【００４０】
ユーザ端末装置２の位置検出について、ユーザ端末装置２がＧＰＳを搭載しているとき、ＧＰＳを利用して、ユーザ端末装置２の現在の位置を検出できる。サーバ３の制御装置６は、定期的にユーザ端末装置２と通信を行い、各ユーザ端末装置２の位置情報を取得する。そして、制御装置６は、表示装置１にアクセス可能な位置にあるユーザ端末装置２を特定する。
【００４１】
また、ユーザ端末装置２が携帯電話の場合、携帯電話と通信を行う基地局からユーザ端末装置２の現在の位置を検出できる。あるいは無線ＬＡＮのアクセスポイントを利用して、ユーザ端末装置２の現在の位置を検出してもよい。
【００４２】
したがって、オークションを行うとき、データ発信部１１は、特定されたユーザ端末装置２に対して、ウェブページを送信する。このとき、データ発信部１１は、ユーザ端末２のＩＰアドレス宛にウェブページのＵＲＬを含むメッセージを送信する。
【００４３】
ユーザ端末装置２では、ＵＲＬがわかると、内蔵のブラウザが、インターネットを通じてＵＲＬにアクセスする。広告データ発信部１１は、アクセスのあったユーザ端末装置２の要求に応答して、ウェブページを送信する。
【００４４】
なお、広告データ発信部１１は、ＵＲＬを送信するとき、電子メールを利用してもよい。広告データ発信部１１は、ウェブページのＵＲＬにリンクしたメールを作成して、特定されたユーザ端末装置２のメールアドレス宛に送信する。ユーザ端末装置２は、電子メールを受信して、メール中のＵＲＬにアクセスする。広告データ発信部１１は、ユーザ端末装置２の要求に応答して、ウェブページを送信する。
【００４５】
次に、掲示情報を表示するときのサーバ３の動作を図４にしたがって説明する。情報提供者の情報提供端末装置４は、サーバ３に対して、表示装置１に掲示したい文字、画像等による広告情報をアップロードする。サーバ３の制御装置６は、複数の情報提供端末装置４から提供された広告情報に基づいてウェブページを作成する（Ｓ１）。
【００４６】
制御装置６は、提供された複数の広告情報をリストにした管理する（Ｓ２）。広告データ発信部１１は、登録会員であるユーザのうち、特定されたユーザ、すなわち表示装置１にアクセス可能な位置にあるユーザ端末装置２にメッセージを送信する。ユーザ端末装置２は、インターネットを通じて、メッセージ中のＵＲＬにアクセスする。広告データ発信部１１は、アクセスしてきたユーザ端末装置２を認証後、ウェブページを送信する（Ｓ３）。ウェブページが送信されると、データ収集部１２は、ユーザ端末装置２からの要求データを収集するために、タイマをスタートする（Ｓ４）。
【００４７】
データ収集部１２は、締切時間、例えば１時間後までの間、要求データの収集を行う（Ｓ５〜Ｓ７）。この間に、ユーザは、ユーザ端末装置２に表示されたウェブページを見て、掲示してほしい情報を選択するとともに、購入条件として表示したい時間帯および購入金額を入力する。ユーザ端末装置２は、選択した掲示情報および購入条件を含む要求データをサーバ３に送信する。
【００４８】
データ収集部１２が、ユーザ端末装置２からの要求データを受け取ると、ユーザを特定して、ユーザを要求データに含まれる情報に関連付けてデータテーブルを作成する。金額判定部１３は、ある時間帯において、一番高い購入金額を提示したユーザを選ぶ。掲示情報選択部１４は、選ばれたユーザの掲示情報を表示する掲示情報に決定する（Ｓ８）。掲示情報は、時間帯毎に選ばれる。
【００４９】
このとき、制御装置６は、表示装置１の画面における掲示情報の表示位置、表示サイズおよび表示色といった表示内容を決める（Ｓ９）。表示内容に関して、情報提供者が定めた表示箇所に、目立つ表示色でかつ目立つ表示サイズとされる。
【００５０】
表示データ発信部１５は、表示装置１に掲示情報とその表示内容を送信する（Ｓ１０）。表示装置１は、決められた表示内容にしたがって掲示情報を画面に表示する。
【００５１】
掲示情報をリクエストしたユーザは、表示装置１の近くまで行くことによって、希望した情報を見ることができる。なお、必要ならば、ユーザは、ユーザ端末装置２を通じてサーバ３あるいは表示装置１にアクセスして、掲示情報を取得すればよい。
【００５２】
ユーザが重要視した掲示情報であれば、それに見合う金額を提示することにより、掲示情報を表示させることができる。したがって、ユーザは、興味のある情報や関心のある情報を詳しく知ることができる。情報提供者は、表示装置１に情報が表示されることにより、商品やサービスのコマーシャル効果を得ることができる。
【００５３】
ところで、同じ時間帯において、一番高い購入金額を提示したユーザが複数いるとき、最も早く購入条件を提示したユーザの掲示情報が選ばれる。すなわち、制御装置６は、ユーザ端末装置２からの受信日時を比較し、最先の受信日時を探す。そして、１番早いユーザ端末装置２によって提示された掲示情報を選んで、表示させる。
【００５４】
また、表示装置１の画面に複数の掲示情報が表示可能な場合、制御装置６は、一番高い購入金額を提示した複数のユーザの中から最先のユーザを選び、このユーザが指定した掲示情報を画面も最も広いメインエリアに表示させる。そして、２番目に早いユーザが指定した掲示情報を小さなサブエリアに表示させる。３人以上のユーザがいるとき、遅いほど表示エリアを小さくして、掲示情報を表示する。
【００５５】
締切時間前に、一番高い購入金額を複数のユーザが提示しているとき、同額のユーザが他にいることを各ユーザに通知する。制御装置６は、同額を提示したユーザのユーザ端末装置２に、同額のユーザが複数いる旨のメッセージを送信する。ユーザは、購入金額をアップして、再提示する。締切時間になるまで、同額の最高金額がある場合、通知が繰り返し行われる。これによって、ユーザにとって重要な情報であれば、再提示を行うことにより、確実に情報を表示させることができる。
【００５６】
ところで、サーバ３は、ユーザのリクエストに応じて有料で掲示情報を表示させる。サーバ３は、表示後、提示された金額をユーザ端末装置２を通じて請求する。ユーザは、請求に応じて振り込み、自動引き落とし、クレジットカード等の公知の方法によって金額を支払う。
【００５７】
上記の実施形態において、サーバ３は、オークションの参加の対象として特定されたユーザ端末装置２に広告情報を送信することにより、オークションに参加させている。これに代わって、サーバ３の制御装置６は、登録されている全てのユーザ端末装置２に広告情報を送信する。このとき、表示装置１の位置情報も送信する。ユーザ端末装置２は、自己の位置を検出して、表示装置１までの距離を確認する。この距離が一定距離内であれば、オークションに参加可能と判断する。一定距離より離れていれば、参加不可能と判断する。ユーザ端末装置２は、参加可能な場合に限り、掲示情報および購入条件をサーバ３に提示する。
【００５８】
ユーザが移動中のとき、当初は一定距離内にいなくても、途中から一定距離内に入ることがある。このとき、ユーザ端末装置２がオークションへの参加の可否を判断することにより、ユーザはオークションの参加対象となったことを認識でき、途中からオークションに参加することができる。
【００５９】
上記の実施形態では、ユーザは、ユーザ端末装置２を使用して、直接オークションに参加する。他の実施形態として、情報提供端末装置４を利用して、オークションに参加する。すなわち、ユーザは、情報提供端末装置４を通じて間接的にオークションに参加できる。
【００６０】
図５に示すように、複数の情報提供端末装置４は、インターネットを通じてサーバ３およびユーザ端末装置２と通信可能に接続される。サーバ３は、図６に示すように、サーバ３の制御装置６は、広告情報収集部１０、広告データ発信部１１、掲示情報収集部２０、掲示情報転送部２１、入札収集部２２、掲示情報選択部１４、表示データ発信部１５、時計部（図示せず）を備えている。なお、図５中、７はサーバ用専用端末装置であり、収集された複数の広告情報を管理し、ユーザ端末装置２や情報提供端末装置４と直接通信する。この端末装置７は、ファイアウォールとして機能し、サーバ３からの情報の漏洩を防止する。また、制御装置６の構成および動作は、基本的に上記の実施形態と同じである。
【００６１】
掲示情報収集部２０は、ユーザ端末装置２から掲示情報を収集する。すなわち、制御装置６は、広告情報に基づいてウェブページを作成するとき、掲示情報要求欄を形成しない。したがって、ユーザは、ウェブページから見たい掲示情報を選択すると、ユーザ端末装置２は、選ばれた掲示情報を含む要求データをサーバ３に送信する。掲示情報収集部２０は、要求データを受信して、要求データ中の掲示情報をメモリに一時的に記憶する。掲示情報転送部２１は、掲示情報の提供元である情報提供者を判断し、この情報提供者の情報提供端末装置４に掲示情報を転送する。
【００６２】
情報提供端末装置４は、サーバ３から掲示情報を受信すると、ユーザが選んだ掲示情報を元に表示用の掲示情報を作成するとともに、情報提供者の入力により、表示したい時間帯および購入金額といった購入条件を決定する。そして、情報提供端末装置４は、掲示情報と購入条件をサーバ３に送信する。入札収集部２２は、各情報提供端末装置４から掲示情報と購入条件を受信する。そして、入札収集部２２は、情報提供端末装置４毎に掲示情報および購入条件を分けて、記憶部１７に保存する。
【００６３】
掲示情報選択部１４は、上記と同様に、一番高い購入金額を提示した情報提供端末装置４を選び、この情報提供端末装置４から提示された掲示情報を表示する掲示情報に決定する。時間帯毎に、掲示情報は決定される。なお、制御装置６の広告情報収集部１０、広告データ発信部１１、表示データ発信部１５および時計部１６は、上記の実施形態と同じである。
【００６４】
図７に示すように、オークションを行うとき、サーバ３の制御装置６は、情報提供端末装置４から提供された広告情報に基づいてウェブページを作成する（Ｓ１１）。広告情報収集部１０は、情報提供端末装置４から広告情報を受信する（Ｓ１２）と、記憶部１７に保存する。このとき、ウェブページは最新の情報に更新される。
【００６５】
広告データ発信部１１は、登録会員が所持するユーザ端末装置２に、ウェブページを通じて広告情報を送信する（Ｓ１３）。なお、ユーザ端末装置２は、表示装置１にアクセス可能な特定のユーザのものであってもよく、登録されている全てのユーザのものであってもよい。
【００６６】
掲示情報収集部２０は、ユーザ端末装置２からの要求データを収集するために、タイマをスタートする（Ｓ４）。掲示情報収集部２０は、締切時間、例えば１時間後までの間、要求データの収集を行う（Ｓ１５〜Ｓ１７）。この間に、ユーザは、ユーザ端末装置２に表示されたウェブページを見て、掲示してほしい情報を選択する。ユーザ端末装置２は、選択した掲示情報を含む要求データをサーバ３に送信する。
【００６７】
掲示情報収集部２０が、ユーザ端末装置２からの要求データを受け取ると、ユーザを特定して、ユーザと選択された掲示情報とを関連付けて、記憶部１７のデータテーブルに保存する。掲示情報転送部２１は、掲示情報の提供元の情報提供端末装置４に掲示情報を送信する（Ｓ１８）。複数のユーザ端末装置２から掲示情報を受け取ったとき、掲示情報転送部２１は、掲示情報毎に、情報提供端末装置４を特定し、各情報提供端末装置４に転送する。制御装置６は、この転送開始をトリガにして、オークションの締切時間を計時するためにタイマをスタートする（Ｓ１９）。入札収集部２２は、締切時間がタイムアップするまでの間、情報提供端末装置４からの掲示情報および購入条件を含む要求データを収集する（Ｓ２０〜Ｓ２２）。
【００６８】
この間、情報提供者は、購入条件として、掲示情報を表示させるために時間帯を決めるとともに購入金額を決める。情報提供端末装置４は、掲示情報および購入条件を含む要求データをサーバ３に送信する。
【００６９】
入札収集部２２は、受信した掲示情報および購入条件を情報提供者毎に分けて、データテーブルに保存する。掲示情報選択部１４は、各情報提供端末装置４からの購入条件を時間帯毎に比較して、一番高い購入金額を選ぶ。そして、時間帯毎に、一番高額な掲示情報を表示する掲示情報に決定する（Ｓ２３）。制御装置６が掲示情報の表示内容を設定した後、表示データ発信部１５は、表示装置１に掲示情報とその表示内容を送信する（Ｓ２４）。表示装置１は、決められた表示内容にしたがって掲示情報を画面に表示する。
【００７０】
掲示情報をリクエストしたユーザは、表示装置１の近くまで行くことによって、希望した情報を見ることができる。なお、サーバ３は、掲示情報を表示する時間帯をユーザ端末装置２に通知する。したがって、ユーザは、通知された時間帯に表示装置１の近くに行けば、リクエストした掲示情報を見ることができる。また、情報提供者は、適正な金額にしたがって、ユーザからリクエストされた掲示情報を表示させることができる。
【００７１】
なお、一番高い購入金額を提示した情報提供者が複数いるとき、上記と同様に、制御装置６は、最先の掲示情報を選ぶ、最先の掲示情報をメイン表示、次の掲示情報をサブ表示する、同額の情報提供端末装置４に通知して、再入札させるといったいずれかを実行する。
【００７２】
サーバ３が、表示する掲示情報を決定したとき、制御装置６は、オークションに競り勝ったことを落札した情報提供者に情報提供端末装置４を通じて通知する。この通知とともに、購入金額の支払いを請求する。通知後、指定期間、例えば２日のうちに、情報提供者からの入金がない場合、制御装置６は、決定された掲示情報の表示を中止する。そして、情報提供端末装置４に落札取消の通知を行う。このとき、次点の情報提供者、例えば２番目に高い金額を提示した情報提供者の掲示情報を表示するように変更する。
【００７３】
あるいは、制御装置６は、情報提供端末装置４に入金の催促のメッセージを電子メール等によって送信する。指定期間内に入金がない場合、表示のためのスペースと時間帯を購入する意思がないと判断し、表示を中止する。なお、中止の決定後、指定期間内に情報提供者が入金を行うと、制御装置６は、入金の確認後、情報提供者が獲得した表示するための権利を復活させる。
【００７４】
表示装置１において、画面に掲示情報が表示される。この掲示情報は、設定された時間帯に応じて表示される。そこで、表示装置は、購入された時間帯に応じて、表示時間に関する時間情報を表示する。すなわち、時間情報として、カウントダウンの表示を行う。設定された時間帯の終了時間に近づくにつれて、画面に「５０分前」、「１０分前」、「１秒前」といったように、終了時間までの時間が表示される。あるいは、設定された時間帯の開始時間からの経過時間が表示される。例えば、「１時間経過」、「２時間１０分経過」といったように表示される。
【００７５】
また、サーバ３は、オークションに関して取得した情報によるデータベースを作成する。情報としては、オークションに参加したユーザに関する情報、オークションに参加した情報提供者、オークションに関係する情報を提供した情報提供者に関する情報である。情報提供者は、データベースを利用することにより、マーケッティングに活用できる。
【００７６】
なお、本発明は、上記実施形態に限定されるものではなく、本発明の範囲内で上記実施形態に多くの修正および変更を加え得ることは勿論である。オークションにおいて、購入条件に基づいて落札者を決めるとき、購入金額だけでなく、入札者の情報を加味して決めてもよい。入札者であるユーザあるいは情報提供者に応じて予め重要度が設定される。すなわち、サーバの制御装置６は、購入金額と入札者の重要度に基づいて、一番よい購入条件を判断して、落札者を決める。同じ金額が提示されたとき、重要度の高い入札者が落札できる。また、入札金額の最低額を決めておき、この金額以上を提示した入札者の中から、最も重要度の高い入札者が落札できる。
【００７７】
オークションに直接的あるいは間接的に参加できるユーザとして、表示装置から一定距離にあるユーザ端末装置の所持者だけに限らず、表示装置まで一定時間で行くことができる位置にあるユーザ端末装置の所持者であってもよい。
【図面の簡単な説明】
【００７８】
【図１】本発明の情報掲示システムにおける表示装置の設置状況を示す図
【図２】情報掲示システムの概略構成を示す図
【図３】サーバの制御ブロック図
【図４】ユーザがオークションに参加して、掲示情報を決めるときのサーバの動作を示すフローチャート
【図５】他の実施形態の情報掲示システムの概略構成を示す図
【図６】他の実施形態のサーバの制御ブロック図
【図７】情報提供者がオークションに参加して、掲示情報を決めるときのサーバの動作を示すフローチャート
【符号の説明】
【００７９】
１    表示装置
２    ユーザ端末装置
３    サーバ
４    情報提供端末装置
１０    広告情報収集部
１１    広告データ発信部
１２    データ収集部
１３    金額判定部
１４    掲示情報選択部
１５    表示データ発信部
１６    時計部
１７    記憶部
２０    掲示情報収集部
２１    掲示情報転送部
２２    入札収集部
【図１】
2009157682.tif 000003
【図２】
2009157682.tif 000004
【図３】
2009157682.tif 000005
【図４】
2009157682.tif 000006
【図５】
2009157682.tif 000007
【図６】
2009157682.tif 000008
【図７】
2009157682.tif 000009